(57)【要約】【課題】環状の光源ユニット等を提供する。【解決手段】光源ユニットは、１個以上の発光モジュール３１Ａ，３１Ｂを備え、全体として環状し、発光モジュール３４Ａ，３４Ｂは、環状方向に間隔をおいて隣接する２個の導電片３６１を１組の配線路として環状方向に沿って複数組備える配線体３６と、２個の導電片３６１に跨るように実装された２個のＬＥＤ素子３２とを備え、導電片３６１は、環状方向に沿って延伸する基部３６２と、基部３６２における環状方向の一方端部から交差する方向に延伸する第１延伸部３６３と、基部３６２における環状方向の他方端部から交差する方向に延伸する第２延伸部３６４とを有し、２個の導電片３６１は、一方の導電片３６１の第１延伸部３６３と他方の導電片３６１の第２延伸部３６４とが対向する状態で配され、当該対向部分にＬＥＤ素子３２が実装されている。【選択図】図８
2020004669.tif 000002
【特許請求の範囲】
【請求項１】
１個以上の発光モジュールを備え且つ前記発光モジュールの光出射方向から見ると全体として環状をする光源ユニットにおいて、
前記発光モジュールは、
前記環状方向に間隔をおいて隣接する２個の導電片を１組の配線路として環状方向に沿って複数組備える配線体と、
前記２個の導電片に跨るように実装された１個又は複数個の発光素子と
を備え、
前記導電片は、前記環状方向に沿って延伸する基部と、前記基部における前記環状方向の一方端部から前記基部と交差する方向に延伸する第１延伸部と、前記基部における前記環状方向の他方端部から前記交差する方向に延伸する第２延伸部とを有し、
前記２個の導電片は、一方の前記導電片の前記第１延伸部と他方の前記導電片の前記第２延伸部とが対向する状態で配され、当該対向部分に前記発光素子が実装されている
光源ユニット。
【請求項２】
前記第１延伸部及び前記第２延伸部に対して前記基部が前記環状の中心側に位置する内側発光モジュールと、前記第１延伸部及び前記第２延伸部に対して前記基部が前記環状の中心側と反対側に位置する外側発光モジュールとの少なくとも一方の発光モジュールを備える
請求項１に記載の光源ユニット。
【請求項３】
前記内側発光モジュールは円環状をし、
前記外側発光モジュールは円環状をし、
前記外側発光モジュールは、前記内側発光モジュールを構成する１個の前記導電片の第１延伸部と第２延伸部との間に、前記外側発光モジュールにおいて前記環状方向に隣接する２個の導電片の一方の前記導電片の第１延伸部と他方の前記導電片の第２延伸部とが位置するように、配されている
請求項２に記載の光源ユニット。
【請求項４】
前記内側発光モジュールの発光素子の色温度と、前記外側発光モジュールの発光素子の色温度とが異なる
請求項３に記載の光源ユニット。
【請求項５】
前記内側発光モジュールと前記外側発光モジュールとが電気的に接続されていると共に当該内側発光モジュールと当該外側発光モジュールとで１つの環状を構成し、
前記内側発光モジュールの発光素子の色温度と、前記外側発光モジュールの発光素子の色温度とが同じである
請求項２に記載の光源ユニット。
【請求項６】
前記２個の導電片は、前記対向部分に実装されるダミー素子により補強されている
請求項１〜５の何れか１項に記載の光源ユニット
【請求項７】
１個以上の発光モジュールを備え且つ前記発光モジュールの光出射方向から見ると全体として環状をする光源ユニットを備える照明装置において、
前記光源ユニットが請求項１〜６の何れか１項に記載の光源ユニットである
照明装置。
【発明の詳細な説明】
【技術分野】
【０００１】
本発明は、離間する複数個の導電片を配線路として備える光源ユニット及び照明装置に関する。
【背景技術】
【０００２】
近年、光源である発光素子を備える光源ユニットとして、隣接する２つの導電片を１組として、複数組の導電片に跨るように複数個の発光素子を実装したものが提案されている（例えば特許文献１）。
【先行技術文献】
【特許文献】
【０００３】
【特許文献１】国際公開第２０１７／１１５８６２号公報
【発明の概要】
【発明が解決しようとする課題】
【０００４】
しかしながら、特許文献１では、種々の照明装置に対応する光源ユニットが記載されているが、１個以上の発光モジュールを備え且つ前記発光モジュールの光出射方向から見ると全体として環状をする光源ユニットへの適用については十分に検討されていない。
本発明は、離間する複数個の導電片を配線路を利用する環状の光源ユニット及び当該光源ユニットを備える照明装置を提供することを目的とする。
【課題を解決するための手段】
【０００５】
本発明に係る光源ユニットは、１個以上の発光モジュールを備え且つ前記発光モジュールの光出射方向から見ると全体として環状をする光源ユニットにおいて、前記発光モジュールは、前記環状方向に間隔をおいて隣接する２個の導電片を１組の配線路として環状方向に沿って複数組備える配線体と、前記２個の導電片に跨るように実装された１個又は複数個の発光素子とを備え、前記導電片は、前記環状方向に沿って延伸する基部と、前記基部における前記環状方向の一方端部から前記基部と交差する方向に延伸する第１延伸部と、前記基部における前記環状方向の他方端部から前記交差する方向に延伸する第２延伸部とを有し、前記２個の導電片は、一方の前記導電片の前記第１延伸部と他方の前記導電片の前記第２延伸部とが対向する状態で配され、当該対向部分に前記発光素子が実装されている。
【０００６】
本発明に係る照明装置は、１個以上の発光モジュールを備え且つ前記発光モジュールの光出射方向から見ると全体として環状をする光源ユニットを備える照明装置において、前記光源ユニットが上記の光源ユニットである。
【発明の効果】
【０００７】
上述の構成によれば、環状の光源ユニットと、当該光源ユニットを備える照明装置を得ることができる。
【図面の簡単な説明】
【０００８】
【図１】実施形態に係る照明装置の斜視図であり、（ａ）は表側から見た図であり、（ｂ）は裏側から見た図である。
【図２】照明装置の断面図である。
【図３】照明装置の分解状態を表側から見た斜視図である。
【図４】照明装置の分解状態を裏側から見た斜視図である。
【図５】（ａ）は器具本体を表側から見た図であり、（ｂ）は器具本体を裏側から見た図である。
【図６】表光源ユニットの斜視図であり、（ａ）は表側から見た図であり、（ｂ）は裏側から見た図である。
【図７】表光源ユニットの分解状態を表側から見た斜視図である。
【図８】（ａ）は接続前の表発光モジュールの斜視図であり、（ｂ）は接続後の表発光モジュールの斜視図であり、（ｃ）は接続状態の表第１配線体と表第２配線体の斜視図である。
【図９】裏光源ユニットの斜視図であり、（ａ）は表側から見た図であり、（ｂ）は裏側から見た図である。
【図１０】裏光源ユニットの分解状態を裏側から見た斜視図である。
【図１１】（ａ）は接続前の裏発光モジュールの斜視図であり、（ｂ）は接続後の裏発光モジュールの斜視図であり、（ｃ）は接続状態の裏第１配線体と裏第２配線体の斜視図である。
【図１２】電源ユニットの分解状態を表側から見た斜視図である。
【図１３】電源ユニットの分解状態を裏側から見た斜視図である。
【図１４】光源カバーの分解状態を示す斜視図である。
【図１５】異なるタイプのシェードを備える照明装置を示す図である。
【図１６】異なるタイプのシェードを備える照明装置を示す図である。
【図１７】異なるタイプの光源ユニットを示す図である。
【図１８】異なるタイプの吊り部材を示す図である。
【発明を実施するための形態】
【０００９】
＜概要＞
実施形態の一態様に係る光源ユニットは、１個以上の発光モジュールを備え且つ前記発光モジュールの光出射方向から見ると全体として環状をする光源ユニットにおいて、前記発光モジュールは、前記環状方向に間隔をおいて隣接する２個の導電片を１組の配線路として環状方向に沿って複数組備える配線体と、前記２個の導電片に跨るように実装された１個又は複数個の発光素子とを備え、前記導電片は、前記環状方向に沿って延伸する基部と、前記基部における前記環状方向の一方端部から前記基部と交差する方向に延伸する第１延伸部と、前記基部における前記環状方向の他方端部から前記交差する方向に延伸する第２延伸部とを有し、前記２個の導電片は、一方の前記導電片の前記第１延伸部と他方の前記導電片の前記第２延伸部とが対向する状態で配され、当該対向部分に前記発光素子が実装されている。
実施形態の別態様に係る光源ユニットにおいて、前記第１延伸部及び前記第２延伸部に対して前記基部が前記環状の中心側に位置する内側発光モジュールと、前記第１延伸部及び前記第２延伸部に対して前記基部が前記環状の中心側と反対側に位置する外側発光モジュールとの少なくとも一方の発光モジュールを備える。これにより、環状の光源ユニットが得られる。
【００１０】
実施形態の別態様に係る光源ユニットにおいて、前記内側発光モジュールは円環状をし、前記外側発光モジュールは円環状をし、前記外側発光モジュールは、前記内側発光モジュールを構成する１個の前記導電片の第１延伸部と第２延伸部との間に、前記外側発光モジュールにおいて前記環状方向に隣接する２個の導電片の一方の前記導電片の第１延伸部と他方の前記導電片の第２延伸部とが位置するように、配されている。これにより発光素子を高密度に実装できる。
実施形態の別態様に係る光源ユニットにおいて、前記内側発光モジュールの発光素子の色温度と、前記外側発光モジュールの発光素子の色温度とが異なる。これにより、調色可能な光源ユニットが得られる。
実施形態の別態様に係る光源ユニットにおいて、前記内側発光モジュールと前記外側発光モジュールとが電気的に接続されていると共に当該内側発光モジュールと当該外側発光モジュールとで１つの環状を構成し、前記内側発光モジュールの発光素子の色温度と、前記外側発光モジュールの発光素子の色温度とが同じである。これにより、導電片を有効に利用できる。
実施形態の別態様に係る光源ユニットにおいて、前記２個の導電片は、前記対向部分に実装されるダミー素子により補強されている。これにより安価に補強できる。
実施形態の一態様に係る照明装置は、１個以上の発光モジュールを備え且つ前記発光モジュールの光出射方向から見ると全体として環状をする光源ユニットを備える照明装置において、前記光源ユニットが上記の光源ユニットである。
【００１１】
＜実施形態＞
実施形態では、天井等の被取付面に吊り部材を介して取り外し可能に取り付けられる、所謂吊り下げタイプの照明装置Ａの一例として、図１に示すように、被取付面のローゼットや引掛シーリング等の配線器具（図示省略）用のコード（吊り部材１）１０を備えるペンダントライトについて説明する。
ここで、照明装置Ａにおいて、被取付面が存在する側を裏側とし、被取付面と反対側を表側とする。
【００１２】
１．全体
概要
主に図２〜図４を用いて説明する。
照明装置Ａは、少なくとも器具本体２と光源ユニット３とを備える。ここでの光源ユニット３は、器具本体２の表側に配される表光源ユニット３を少なくとも含み、ここでは器具本体２の裏面に配される裏光源ユニット４も含む。照明装置Ａは電源ユニット５（図２参照）を備えてもよい。照明装置Ａは２つの光源ユニット３，４を覆う光源カバー６を備えてもよい。ここでは光源カバー６は表光源ユニット３用の表光源カバー６Ａと、裏光源ユニット４用の裏光源カバー６Ｂとを含む。照明装置Ａは、器具本体２を被取付面（天井）側から覆うシェード７を備えてもよい。
ペンダントライトとしての照明装置Ａは、吊り部材１、器具本体２、光源ユニット３，４、電源ユニット５、光源カバー６及びシェード７を備える。照明装置Ａは、さらに、点灯・消灯を操作する操作ユニットの一例としてのプルスイッチ８を備える。
吊り部材１は、コード１０の一端（表側端）にコードハウジング１１を、他端（裏側端）に引掛けシーリング１２を備え、コードハウジング１１が器具本体２に着脱可能に取り付けられる。
器具本体２は、その中央部が裏側に膨出し、当該膨出部２５が吊り部材１に取り付けられ、膨出部２５に電源ユニット５が配され、器具本体２の電源ユニット５の廻りであって表面に環状の表光源ユニット３を、裏面に環状の裏光源ユニット４を搭載する。
以下、各部について説明する。
【００１３】
２．吊り部材
図２〜図４を用いて説明する。
吊り部材１は、被設置面に設けられている配線器具（図示省略）に接続して、当該配線器具から受電する機能と照明装置Ａを吊り下げ状態で支持する機能とを有する。
吊り部材１は、配線器具と接続する引掛けシーリング１２と、引掛けシーリング１２の外側を覆う樹脂製の引掛けカバー１３と、引掛けシーリング１２の引掛刃（図示省略）と接続するコード１０と、コード１０の一端部の余剰部分を収容するコードハウジング１１とを備える。なお、コード１０の一端にはコネクタ１４が取付けられ、当該コネクタ１４が電源ユニット５側のコネクタ５８に接続される。
【００１４】
コードハウジング１１は、図２に示すように、有蓋筒状のハウジング本体１１１の上部貫通孔にブッシュ１１２を備え、図３に示すように、ハウジング本体１１１の表側開口縁から径方向外方へと張り出すハウジング側係合部１１３が器具本体２の器具側係合部分２５４（図５の（ｂ）参照）に係合する。
ハウジング本体１１１の表側開口部分は、図２に示すように、外拡がりの段差部１１４となっており、シェード７の鍔部７７の開口の周辺部分が段差部１１４により支持される。
【００１５】
３．器具本体
器具本体２は、吊り部材１を着脱可能に装着するための吊り部材装着部と、電源ユニット５を装着するための電源ユニット装着部と、光源ユニット３を装着するための光源ユニット装着部と、光源カバー６を装着するための光源カバー装着部と、プルスイッチ８を装着するためのスイッチ装着部とを有する。
【００１６】
図５を用いて説明する。
器具本体２は、外周形状が円形状をし、中央部分が裏側に膨出するような形状をしている。
器具本体２は、環状板部２１と、環状板部２１の内周縁から裏側に膨出する膨出部２５とを有している。なお、ここでは、環状板部２１は円環状をしている。
図２に示すように、環状板部２１の表側には表光源ユニット３が装着され、環状板部２１の裏側には裏光源ユニット４が装着され、膨出部２５には電源ユニット５（の裏側部分）が収容される。
【００１７】
（１）環状板部
図５に示すように、環状板部２１は環状の平坦板部分２１１を有している。
環状板部２１は平坦板部分２１１に裏側に凹入し且つ径方向に延伸する凹入部分２１２を有している。
（１−１）表側
主に図５の（ａ）を用いて説明する。
平坦板部分２１１の表面は表光源ユニット３を構成する表トレイ３８（図４参照）の裏面と当接する。凹入部分２１２の表側には、表光源ユニット３に電力を供給する表ケーブル５９１（図３参照）が配される。これにより、表トレイ３８と平坦板部分２１１の密着性を向上させることができる。
環状板部２１は平坦板部分２１１の内周縁から表側に延伸する表内鍔部分２１３を有している。表内鍔部分２１３は表トレイ３８の表トレイ内鍔部３８２（図７参照）と対向又は近接する。これにより、表トレイ３８の径方向の内側へのガタツキを抑制できる。
環状板部２１は平坦板部分２１１の外周縁から表側に延伸する表外鍔部分２１４を有している。表外鍔部分２１４は表トレイ３８の表トレイ外鍔部３８３（図７参照）と対向又は近接する。これにより、表トレイ３８の径方向の外側へのガタツキを抑制できる。
なお、表内鍔部分２１３と表外鍔部分２１４は、凹入部分２１２が形成されている部位を除いて周方向に連続して設けられている。
【００１８】
環状板部２１は表内鍔部分２１３の表側端縁から径方向の外方（平坦板部分２１１）へと張り出す表内張出部分２１５を周方向に間隔をおいて複数個有している。環状板部２１は表外鍔部分２１４の表側端縁から径方向の内方（平坦板部分２１１）へと張り出す表外張出部分２１６を周方向に間隔をおいて複数個有している。表内張出部分２１５及び表外張出部分２１６は、表トレイ３８の表トレイ内鍔部３８２及び表トレイ外鍔部３８３の表面に係合する。これにより、表光源ユニット３が環状板部２１の表面に係止される。
環状板部２１は、表トレイ３８を固定するためのねじ孔２１７を有している。これにより、表光源ユニット３は器具本体２にねじ９１（図３及び図４参照）により固定される。なお、ねじ孔２１７として例えばインサートねじを利用できる。
【００１９】
（１−２）裏側
主に図５の（ｂ）を用いて説明する。
環状板部２１は、周方向に延伸する周リブ２２１と、径方向に延伸する径リブ２２２とを平坦板部分２１１の裏面に有する。周リブ２２１は同心円状に複数個（例えば３個）ある。径リブ２２２は周方向に間隔をおいて複数個（例えば１２個）ある。周リブ２２１は、凹入部分２１２が存在する部位と、周方向に隣接する径リブ２２２ａ，２２２ｂ間の部位とには形成されていない。
周リブ２２１、径リブ２２２及び凹入部分２１２の裏面は裏光源ユニット４を構成する裏トレイ４８（図３参照）の表面と当接する。この際、周リブ２２１と径リブ２２２との高さは同じであり、周リブ２２１、径リブ２２２及び凹入部分２１２の裏面は面一となっている。これにより、裏光源ユニット４の裏トレイ４８と均等に当接し、裏光源ユニット４を安定した状態で支持できる。
なお、径リブ２２２ａ，２２２ｂ間の周リブ２２１が形成されている部位の裏側には、裏光源ユニット４に電力を供給する裏ケーブル５９３（図３及び４参照）が配される。これにより、周リブ２２１、径リブ２２２及び凹入部分２１２と裏トレイ４８との密着性を向上させることができる。
【００２０】
環状板部２１は平坦板部分２１１の内周縁から裏側に延伸する裏内鍔部分２２３を有している。裏内鍔部分２２３は裏トレイ４８の裏トレイ内鍔部４８２（図１０参照）と対向又は近接する。これにより、裏トレイ４８の径方向の内側へのガタツキを抑制できる。
環状板部２１は平坦板部分２１１の外周縁から裏側に延伸する裏外鍔部分２２４を有している。裏外鍔部分２２４は裏トレイ４８の裏トレイ外鍔部４８３（図１０参照）と対向又は近接する。これにより、裏トレイ４８の径方向の外側へのガタツキを抑制できる。
なお、裏内鍔部分２２３と裏外鍔部分２２４は、径リブ２２２ａ，２２２ｂ間を除いて周方向に連続して設けられている。裏内鍔部分２２３と裏外鍔部分２２４は、周リブ２２１、径リブ２２２及び凹入部分２１２よりも高い（裏への延伸量が大きい）。
【００２１】
環状板部２１は裏内鍔部分２２３の裏側端縁から径方向の外方（平坦板部分２１１）へと張り出す裏内張出部分２２５を周方向に間隔をおいて複数個有している。環状板部２１は裏外鍔部分２２４の裏側端縁から径方向の内方（平坦板部分２１１）へと張り出す裏外張出部分２２６を周方向に間隔をおいて複数個有している。裏内張出部分２２５及び裏外張出部分２２６は、裏トレイ４８の裏トレイ内鍔部４８２及び裏トレイ外鍔部４８３の裏面に係合する。これにより、裏光源ユニット４が環状板部２１の裏面に係止される。
環状板部２１は、裏トレイ４８を固定するためのねじ穴２２７を有している。これにより、裏光源ユニット４は器具本体２にねじ９２（図３及び４参照）により固定される。なお、ねじ穴２２７として例えばインサートねじを利用できる。
【００２２】
（２）膨出部
膨出部２５は、図２に示すように、電源ユニット５の一部（膨出部２５の膨出側に位置する部分）やプルスイッチ８を収容する。なお、膨出部２５には電源ユニット５の電源回路５１及び電源カバー５５（図１２及び１３参照）が取付けられる。
膨出部２５は、図５の（ｂ）に示すように、蓋部分２５１、表筒部分２５２及び裏筒部分２５３を有する有蓋段付筒状をしている。
膨出部２５は、吊り部材１のコードハウジング１１のハウジング側係合部１１３（図３参照）と係合する器具側係合部分２５４と、コードハウジング１１と裏光源カバー６Ｂとを器具本体２に固定するためのねじ孔２５６とを有している。なお、ねじ孔２５６として例えばインサートねじを利用できる。
【００２３】
蓋部分２５１の貫通孔２５１ａ，２５１ｂはプルスイッチ８を位置決め及び固定するためのものである。蓋部分２５１の貫通孔２５１ｃは、図３に示すコード１０のコネクタ１４と接続するコネクタ５８用である。なお、コネクタ５８は電源ユニット５（電源回路５１）に接続される。
膨出部２５は、蓋部分２５１の表面から表側に延伸するボス部分２５７と、ボス部分２５７に形成されたねじ穴２５８とを有し、表筒部分２５２の内周面に縦リブ２５９を有している。電源ユニット５の電源基板５１３（図１３及び１４参照）は、縦リブ２５９及びボス部分２５７により裏側から支持された状態で電源基板５１３の貫通孔を挿通するねじ（図示省略）がボス部分２５７のねじ穴２５８に螺合することで、器具本体２に取り付けられる。
【００２４】
膨出部２５は、図５の（ａ）に示すように、電源カバー５５の筒部５５１の張出片５５１ａと係合する器具側係合部分２６１と周方向に間隔をおいて複数個有している。これにより、電源カバー５５が器具本体に２に係止される。膨出部２５は電源カバー５５を固定するためのねじ穴２６２を有している。これにより、電源カバー５５が器具本体２に固定される。なお、ねじ穴２６２として例えばインサートねじを利用できる。
膨出部２５は、図５の（ｂ）に示すように、補強用の複数個の凹み２６４を周方向に沿って蓋部分２５１に有している。このため、図５の（ａ）に示すように、凹み２６４の表面を基準にすると、その外周側に裏側に凹入する外側凹み２６５が存在する。なお、図５の（ａ）において、外側凹み２６５の引き出し線を矢印とし、裏筒部分２５３の引き出し線と区別している。
蓋部分２５１に設けられた器具側係合部分２５４は、図５の（ｂ）に示すように、外側凹み２６５の裏側にあり、器具側係合部分２５４を形成するための貫通孔２５４ａがある。貫通孔２５４ａからの虫の侵入を防ぐために、図３及び図４に示す蓋シート９７により外側凹み２６５が塞がれる。
【００２５】
４．光源ユニット
光源ユニットは、上述の通り、図３及び図４に示すように、表側を照射する表光源ユニット３と、裏側を照射する裏光源ユニット４とを有する。
表光源ユニット３及び裏光源ユニット４は、光の出射方向から見ると環状をし、その中心が器具本体２（の膨出部２５）の中心軸と一致又は近接する状態で、器具本体２に装着されている。これにより、器具本体２の表側と裏側の配向が器具本体の２の中心軸に対して均一となる。
【００２６】
（１）表光源ユニット
表光源ユニット３は、図６の（ａ）に示すように円環状をし、図７に示すように３個の表発光モジュール３１Ａ，３１Ｂ，３１Ｃにより円が構成される。つまり、表発光モジュール３１Ａ，３１Ｂ，３１Ｃは１／３円の円弧状をしている。なお、各表発光モジュール３１Ａ，３１Ｂ，３１Ｃを区別する必要がない場合は、表発光モジュール３１として説明し、図７では、「３１Ａ」、「３１Ｂ」、「３１Ｃ」で示す。
する。
【００２７】
表発光モジュール３１は、図７に示すように、第１発光色（例えば電球色）を発する表第１ＬＥＤ素子３２と、第２発光色（例えば昼光色）を発する表第２ＬＥＤ素子３３とを別配線路で有する。これにより、表光源ユニット３の調色制御が可能となる。
表発光モジュール３１（３１Ａ、３１Ｂ、３１Ｃ）は、円環の中心側に位置する表内側発光モジュール３４（３４Ａ、３４Ｂ、３４Ｃ）と、円環の中心と反対側に位置する表外側発光モジュール３５（３５Ａ、３５Ｂ、３５Ｃ）とを含む。
ここで、表内側発光モジュール３４は本発明の「内側発光モジュール」の一例に相当し、表外側発光モジュール３５は本発明の「外側発光モジュール」の一例に相当する。
表発光モジュール３１は、表トレイ３８に搭載された状態で、器具本体２の環状板部２１に装着される。なお、各表内側発光モジュール３４Ａ，３４Ｂ，３４Ｃを区別する必要がない場合は、表内側発光モジュール３４として説明し、図７及び図８では、「３４Ａ」、「３４Ｂ」、「３４Ｃ」で示す。同様に、各表外側発光モジュール３５Ａ，３５Ｂ，３５Ｃを区別する必要がない場合は、表外側発光モジュール３５として説明し、図７及び図８では、「３５Ａ」、「３５Ｂ」、「３５Ｃ」で示す。
【００２８】
（１−１）表内発光モジュール
主に図８を用いて説明する。
表内側発光モジュール３４（３４Ａ，３４Ｂ）は、図８の（ａ）に示すように、表第１ＬＥＤ素子３２と表第１配線体３６（３６Ａ，３６Ｂ）とを含む。表第１ＬＥＤ素子３２は、本発明の「内側発光モジュールの発光素子」の一例に相当する。
表第１ＬＥＤ素子３２は複数個（例えば、モジュール全体で６０個）あり、１又は複数並列複数直列（例えば、２並列３０直列）で接続されている。なお、表第１ＬＥＤ素子３２が発する光の色温度は、６，５００［Ｋ］である。
図８の（ｃ）に示すように、表第１配線体３６（３６Ａ，３６Ｂ）は、環状方向（周方向である）に間隔をおいて隣接する２個の導電片３６１，３６１を１組の配線路として環状方向に沿って複数組備える。なお、ここでは、光源ユニット３，４は円環状をしているため、環状方向は円環状方向である。
【００２９】
導電片３６１は例えば金属板（例えば、錫メッキ鋼板）から構成されている。なお、金属板を利用する場合、例えば、プレスにより所望形状に打ち抜かれる。導電片３６１の表面（表第１ＬＥＤ素子３２の実装面）には、反射膜が形成されている。反射膜として例えば白色塗料が利用できる。
導電片３６１は、図８の（ｃ）に示すように、円環状に沿って延伸する基部３６２と、基部３６２における環状方向の一方端部から基部３６２と直交する方向に延伸する第１延伸部３６３と、基部３６２における環状方向の他方端部から前記直交する方向に延伸する第２延伸部３６４とを有する。なお、基部３６２は円環の中心側に位置する。
図８の（ｂ）に示すように、環状方向に隣接する２個の導電片３６１ａ，３６１ｂは、一方の導電片３６１ａの第１延伸部３６３ａと他方の導電片３６１ｂの第２延伸部３６４ｂとが対向する状態で配され、当該対向部分に１個又は複数個（ここでは２個）の表第１ＬＥＤ素子３２が実装されている。ここでは第１延伸部３６３ａと第２延伸部３６４ｂとの対向部分が径方向に延伸しており、径方向に間隔をおいて２個の表第１ＬＥＤ素子３２が実装されている。
【００３０】
表内側発光モジュール３４は、表トレイ３８に搭載するための固定部を有している。固定には、図７に示す表トレイ３８の複数個のピン部３８４を利用している。このため、表内側発光モジュール３４は、ピン部３８４が挿通するための孔、凹みを有している。ここでは、図８の（ａ）に示すように、導電片３６１の基部３６２の凹み３６２ａ並びに第１延伸部３６３及び第２延伸部３６４（図８の（ｂ）参照）の凹み３６６により構成される。
【００３１】
表第１配線体３６（３６Ａ，３６Ｂ）は、図８の（ａ）に示すように、環状方向に隣接する他の表内側発光モジュール３４の表第１配線体３６（３６Ａ，３６Ｂ）と電気的に接続する端子部３６７，３６８を備える。端子部３６７，３６８は、導電片３６１を基部３６２で切断した一部材で構成されている。端子部３６７は例えば高電位側端子であり、端子部３６８は低電位側端子である。
接続時には、図８の（ｂ）に示すように、表内側発光モジュール３４Ａの端子部３６８に、環状方向に隣接する他の表内側発光モジュール３４Ｂの端子部３６７が重ねられ、半田、ピン等により結合される。
【００３２】
（１−２）表外側発光モジュール
主に図８を用いて説明する。
表外側発光モジュール３５（３５Ａ，３５Ｂ）は、図８の（ａ）に示すように、表第２ＬＥＤ素子３３と表第２配線体３７（３７Ａ，３７Ｂ）とを含む。表第２ＬＥＤ素子３３は、本発明の「外側発光モジュールの発光素子」の一例に相当する。
表第２ＬＥＤ素子３３は複数個（例えば、モジュール全体で６０個）あり、１又は複数並列複数直列（例えば、２並列３０直列）で接続されている。なお、表第２ＬＥＤ素子３３が発する光の色温度は、２，７００［Ｋ］である。
図８の（ｃ）に示すように、表第２配線体３７（３７Ａ，３７Ｂ）は、環状方向（周方向）に間隔をおいて隣接する２個の導電片３７１，３７１を１組の配線路として環状方向に沿って複数組備える。
【００３３】
導電片３７１は例えば金属板（例えば、錫メッキ鋼板）から構成されている。なお、金属板を利用する場合、例えば、プレスにより所望形状に打ち抜かれる。導電片３７１の表面（表第２ＬＥＤ素子３３の実装面）には、反射膜が形成されている。反射膜として例えば白色塗料が利用できる。
導電片３７１は、図８の（ｃ）に示すように、円環状に沿って延伸する基部３７２と、基部３７２における環状方向の一方端部から基部３７２と直交する方向に延伸する第１延伸部３７３と、基部３７２における環状方向の他方端部から前記直交する方向に延伸する第２延伸部３７４とを有する。なお、基部３７２は円環の中心側と反対側に位置する。
図８の（ｂ）に示すように、環状方向に隣接する２個の導電片３７１ａ，３７１ｂは、一方の導電片３７１ａの第１延伸部３７３ａと他方の導電片３７１ｂの第２延伸部３７４ｂとが対向する状態で配され、当該対向部分に１個又は複数個（ここでは２個）の表第２ＬＥＤ素子３３が実装されている。ここでは第１延伸部３７３ａと第２延伸部３７４ｂとの対向部分が径方向に延伸しており、径方向に間隔をおいて２個の表第２ＬＥＤ素子３３が実装されている。
【００３４】
表外側発光モジュール３５は、表トレイ３８に搭載するための固定部を有している。ここでの表トレイ３８は熱可塑性樹脂材料により構成され、固定には、図７に示す表トレイ３８に一体に形成されている複数個のピン部３８４を利用している。このため、表外側発光モジュール３５は、ピン部３８４が挿通するための孔、凹みを有している。
ここでは、図８の（ａ）に示すように、導電片３７１の基部３７２の凹み３７２ａ並びに第１延伸部３７３及び第２延伸部３７４（図８の（ｂ）参照）の凹み３７６により構成される。
【００３５】
表第２配線体３７（３７Ａ，３７Ｂ）は、図８の（ａ）に示すように、環状方向に隣接する他の表外側発光モジュール３５の表第２配線体３７（３７Ａ，３７Ｂ）と電気的に接続する端子部３７７，３７８を備える。端子部３７７，３７８は、導電片３７１を基部３７２で切断した一部材で構成されている。端子部３７７は例えば高電位側端子であり、端子部３７８は低電位側端子である。
接続時には、図８の（ｂ）に示すように、表外側発光モジュール３５Ａの端子部３７８に、環状方向に隣接する他の表外側発光モジュール３５Ｂの端子部３７７が重ねられ、半田、ピン等により結合される。
【００３６】
（１−３）配置
表発光モジュール３１は、図８の（ｂ）に示すように、表内側発光モジュール３４（３４Ａ）を構成する１個の導電片３６１ｃの第１延伸部３６３ｃと第２延伸部３６４ｃとの間に、表外側発光モジュール３５（３５Ａ）を構成し且つ環状方向に隣接する一方の導電片３７１ａの第１延伸部３７３ａと他方の導電片３７１ｂの第２延伸部３７４ｂとが位置するように、配されている。
表発光モジュール３１は、図８の（ｂ）に示すように、表外側発光モジュール３５（３５Ｂ）を構成する１個の導電片３７１ｃの第１延伸部３７３ｃと第２延伸部３７４ｃとの間に、表内側発光モジュール３４（３４Ｂ）を構成し且つ環状方向に隣接する一方の導電片３６１ａの第１延伸部３６３ａと他方の導電片３６１ｂの第２延伸部３６４ｂとが位置するように、配されている。
換言すると、表内側発光モジュール３４の隣接する２つの導電片３６１の第１延伸部３６３と第２延伸部３６４との対向部分と、表外側発光モジュール３５の隣接する２つの導電片３７１の第１延伸部３７３と第２延伸部３７４との対向部分とが環状方向に交互に位置するように、表内側発光モジュール３４の導電片３６１と表外側発光モジュール３５の導電片３７１とが組み合わされている。
これにより、複数個のＬＥＤ素子３２，３３を高密度で実装できる。また、各複数個の表第１ＬＥＤ素子３２と表第２ＬＥＤ素子３３とを２重の同心円上（又は同心円に近い部位）に配置することができ、輝度ムラを少なくできる。
【００３７】
（１−４）表トレイ
表トレイ３８は、図６の（ａ）及び図７に示すように、表発光モジュール３１を光出射方向から見たときの形状と同じ形状をしている。つまり、表トレイ３８を表側から見たときの形状は円環状をしている。
表トレイ３８は、図７に示すように、円環状の表側環状板部３８１と、表側環状板部３８１の内周縁から表裏両側に延伸する表トレイ内鍔部３８２と、表側環状板部３８１の外周縁から表裏両側に延伸する表トレイ外鍔部３８３とを有する。
表側環状板部３８１の表面に表発光モジュール３１（３１Ａ，３１Ｂ，３１Ｃ）が搭載される。
表トレイ３８は、表発光モジュール３１を固定するための表側固定部を表側環状板部３８１に有する。表側固定部は、上述したように、図８の（ａ）に示す表第１配線体３６（３６Ａ，３６Ｂ）の凹み３６２ａ，３６６と表第２配線体３７（３７Ａ，３７Ｂ）の凹み３７２ａ，３７６を挿通するピン部３８４（図７参照）が利用され、挿通後にピン部３８４の先端を溶融させることで構成される。溶融させることにより、その溶融部分は、凹み３６２ａ，３７２ａ、３６６，３７６より大きく、表第１配線体３６及び表第２配線体３７における凹み３６２ａ，３７２ａ，３６６，３７６の周辺部分に係合する。
【００３８】
表トレイ３８は、図７に示すように、３個の表発光モジュール３１Ａ，３１Ｂ，３１Ｃの接続部分に対応して形成された凸条部３８５を有している。凸条部３８５は、隣接する表発光モジュール３１間に存在する隙間へと突出し、表発光モジュール３１を位置決めする。
表トレイ３８は、図６に示すように、表発光モジュール３１に給電するための表ケーブル５９１の接続側端部を固定（係止）するための係止部３８６を有する。係止部３８６は「Ｃ」字状をし、開口部分から内部へと表ケーブル５９１が挿入される。
【００３９】
表トレイ内鍔部３８２は、内周側から外周側に向かって凹入する表内側凹入部分３８２ａを有している。表トレイ外鍔部３８３は、外周側から内周側に向かって凹入する表外側凹入部分３８３ａを有している。
表光源ユニット３を器具本体２に装着する際に、表内側凹入部分３８２ａと表外側凹入部分３８３ａに、器具本体２の環状板部２１の表内鍔部分２１３の表内張出部分２１５と表外鍔部分２１４の表外張出部分２１６とが嵌る。そして、この嵌合状態で、表光源ユニット３の中心を回転軸として表光源ユニット３を回転させることで、表内張出部分２１５が表トレイ３８の表トレイ内鍔部３８２に、表外張出部分２１６が表トレイ３８の表トレイ外鍔部３８３にそれぞれ係合する。
なお、表トレイ３８は、内周縁から中心に向かって張り出す張出片３８２ｂに貫通孔３８２ｃを有し、ねじ９１（図３及び図４参照）が貫通孔３８２ｃを挿通した後、器具本体２のねじ穴２６２（図５の（ａ）参照）に螺合することで、器具本体２に固定される。
【００４０】
表トレイ３８は、周方向へ延伸する周リブ３８７と、径方向に延伸する径リブ３８８とを表側環状板部３８１の裏面に有する。なお、表トレイ３８は、裏面から表面に凹入し且つ径方向に延伸する表溝部分３８９を有する。表溝部分３８９は、表外側発光モジュール３５に接続する表ケーブル５９１が収容される。これにより、表光源ユニット３を器具本体２に装着させた際に、表ケーブル５９１によるガタツキを無くすることができる。
【００４１】
（２）裏光源ユニット
裏光源ユニット４は、図９の（ａ）に示すように円環状をし、図１０に示すように３個の裏発光モジュール４１Ａ，４１Ｂ，４１Ｃにより円が構成される。つまり、裏発光モジュール４１Ａ，４１Ｂ，４１Ｃは１／３円の円弧状をしている。なお、各裏発光モジュール４１Ａ，４１Ｂ，４１Ｃを区別する必要がない場合は、裏発光モジュール４１として説明し、図１０では「４１Ａ」、「４１Ｂ」、「４１Ｃ」で示す。
【００４２】
裏発光モジュール４１は、図１０に示すように、第１発光色（例えば昼白色）を発する裏第１ＬＥＤ素子４２と、第２発光色（例えば昼光色）を発する裏第２ＬＥＤ素子４３とを別配線路で有する。これにより、裏光源ユニット４の調色制御が可能となる。裏発光モジュール４１（４１Ａ、４１Ｂ、４１Ｃ）は、円環の中心側に位置する裏内側発光モジュール４４（４４Ａ、４４Ｂ、４４Ｃ）と、円環の中心と反対側に位置する裏外側発光モジュール４５（４５Ａ、４５Ｂ、４５Ｃ）とを含む。
ここで、裏内側発光モジュール４４は本発明の「内側発光モジュール」の一例に相当し、裏外側発光モジュール４５は本発明の「外側発光モジュール」の一例に相当する。
裏発光モジュール４１は、裏トレイ４８に搭載された状態で、器具本体２の環状板部２１に装着される。なお、各裏内側発光モジュール４４Ａ，４４Ｂ，４４Ｃを区別する必要がない場合は、裏内側発光モジュール４４として説明し、図１０及び図１１では、「４４Ａ」、「４４Ｂ」、「４４Ｃ」で示す。同様に、各裏外側発光モジュール４５Ａ，４５Ｂ，４５Ｃを区別する必要がない場合は、裏外側発光モジュール４５として説明し、図１０及び図１１では、「４５Ａ」、「４５Ｂ」、「４５Ｃ」で示す。
【００４３】
（２−１）裏内発光モジュール
主に図１１を用いて説明する。
裏内側発光モジュール４４（４４Ａ，４４Ｂ）は、図１１の（ａ）に示すように、裏第１ＬＥＤ素子４２と裏第１配線体４６（４６Ａ，４６Ｂ）とを含む。裏第１ＬＥＤ素子４２は、本発明の「内側発光モジュールの発光素子」の一例に相当する。
裏第１ＬＥＤ素子４２は複数個（例えば、モジュール全体で３６個）あり、１又は複数並列複数直列（例えば、１並列３６直列）で接続されている。なお、裏第１ＬＥＤ素子４２が発する光の色温度は、６，５００［Ｋ］である。
図１１の（ｃ）に示すように、裏第１配線体４６（４６Ａ，４６Ｂ）は、環状方向（周方向）に間隔をおいて隣接する２個の導電片４６１，４６１を１組の配線路として環状方向に沿って複数組備える。
【００４４】
導電片４６１は例えば金属板（例えば、錫メッキ鋼板）から構成されている。なお、金属板を利用する場合、例えば、プレスにより所望形状に打ち抜かれる。導電片４６１の表面（裏第１ＬＥＤ素子４２の実装面）には、反射膜が形成されている。反射膜として例えば白色塗料が利用できる。
導電片４６１は、図１１の（ｃ）に示すように、円環状に沿って延伸する基部４６２と、基部４６２における環状方向の一方端部から基部４６２と直交する方向に延伸する第１延伸部４６３と、基部４６２における環状方向の他方端部から前記直交する方向に延伸する第２延伸部４６４とを有する。なお、基部４６２は円環の中心側に位置する。
図１１の（ｂ）に示すように、環状方向に隣接する２個の導電片４６１ａ，４６１ｂは、一方の導電片４６１ａの第１延伸部４６３ａと他方の導電片４６１ｂの第２延伸部４６４ｂとが対向する状態で配され、当該対向部分に１個又は複数個（ここでは１個）の裏第１ＬＥＤ素子４２が実装されている。ここでは第１延伸部４６３ａと第２延伸部４６４ｂとの対向部分が径方向に延伸しており、基部４６２側に１個の裏第１ＬＥＤ素子４２が実装されている。
【００４５】
環状方向に隣接する２個の導電片４６１，４６１は、図１１の（ａ）に示すように、裏第１ＬＥＤ素子４２の実装面に実装されたダミー素子４９により補強されている。ここでは、ダミー素子４９は隣接する導電片４６１，４６１の対向する基部４７２，４７２間及び対向する第１延伸部４６３と第２延伸部４６４間に跨って実装されている。なお、ダミー素子４９は裏第１ＬＥＤ素子４２に対して径方向の両側に設けられている。ダミー素子４９は、通常抵抗が無限大のチップ抵抗により構成されており、導電片４６１ａ，４６１ｂ間を短絡しても、回路的に問題がない構成を取っている。
【００４６】
裏内側発光モジュール４４は、裏トレイ４８に搭載するための固定部を有している。固定には、図１０に示す裏トレイ４８の複数個のピン部４８４を利用している。このため、裏内側発光モジュール４４は、ピン部４８４が挿通するための孔、凹みを有している。
ここでは、図１１の（ａ）に示すように、導電片４６１の基部４６２の凹み４６２ａ並びに第１延伸部４６３及び第２延伸部４６４（図１１の（ｂ）参照）の凹み４６６により構成される。
【００４７】
裏第１配線体４６（４６Ａ，４６Ｂ）は、図１１の（ａ）に示すように、環状方向に隣接する他の裏内側発光モジュール４４の裏第１配線体４６（４６Ａ，４６Ｂ）と電気的に接続する端子部４６７，４６８を備える。端子部４６７，４６８は、導電片４６１を基部４６２で切断し一部材で構成されている。端子部４６７は例えば高電位側端子であり、端子部４６８は低電位側端子である。
接続時には、図１１の（ｂ）に示すように、裏内側発光モジュール４４Ａの端子部４６８に、環状方向に隣接する他の裏内側発光モジュール４４Ｂの端子部４６７が重ねられ、半田、ピン等により結合される。
【００４８】
（２−２）裏外側発光モジュール
主に図１１を用いて説明する。
裏外側発光モジュール４５（４５Ａ，４５Ｂ）は、図１１の（ａ）に示すように、裏第２ＬＥＤ素子４３と裏第２配線体４７（４７Ａ，４７Ｂ）とを含む。裏第２ＬＥＤ素子４３は、本発明の「外側発光モジュールの発光素子」の一例に相当する。
裏第２ＬＥＤ素子４３は複数個（例えば、モジュール全体で３６個）あり、１又は複数並列複数直列（例えば、１並列３６直列）で接続されている。なお、裏第２ＬＥＤ素子４３が発する光の色温度は、２，７００［Ｋ］である。
図１１の（ｃ）に示すように、裏第２配線体４７（４７Ａ，４７Ｂ）は、環状方向（周方向）に間隔をおいて隣接する２個の導電片４７１，４７１を１組の配線路として環状方向に沿って複数組備える。
【００４９】
導電片４７１は例えば金属板（例えば、錫メッキ鋼板）から構成されている。なお、金属板を利用する場合、例えば、プレスにより所望形状に打ち抜かれる。導電片４７１の表面（裏第２ＬＥＤ素子４３の実装面）には、反射膜が形成されている。反射膜として例えば白色塗料が利用できる。
導電片４７１は、図１１の（ｃ）に示すように、円環状に沿って延伸する基部４７２と、基部４７２における環状方向の一方端部から基部４７２と直交する方向に延伸する第１延伸部４７３と、基部４７２における環状方向の他方端部から前記直交する方向に延伸する第２延伸部４７４とを有する。なお、基部４７２は円環の中心側と反対側に位置する。
図１１の（ｂ）に示すように、環状方向に隣接する２個の導電片４７１ａ，４７１ｂは、一方の導電片４７１ａの第１延伸部４７３ａと他方の導電片４７１ｂの第２延伸部４７４ｂとが対向する状態で配され、当該対向部分に１個又は複数個（ここでは１個）の裏第２ＬＥＤ素子４３が実装されている。ここでは第１延伸部４７３ａと第２延伸部４７４ｂとの対向部分が径方向に延伸しており、その基部４７２側に１個の裏第２ＬＥＤ素子４３が実装されている。
【００５０】
環状方向に隣接する２個の導電片４７１，４７１は、図１１の（ａ）に示すように、裏第２ＬＥＤ素子４３の実装面に実装されたダミー素子４９により補強されている。ここでは、ダミー素子４９は隣接する導電片４７１，４７１の対向する基部４７２，４７２間に跨って実装されている。なお、ダミー素子４９は裏第２ＬＥＤ素子４３に対して径方向の外側に設けられている。
【００５１】
裏外側発光モジュール４５は、裏トレイ４８に搭載するための固定部を有している。ここでの裏トレイ４８は熱可塑性樹脂材料により構成され、固定には、図１０に示す裏トレイ４８に一体に形成されている複数個のピン部４８４を利用している。このため、裏外側発光モジュール４５は、ピン部４８４が挿通するための孔、凹みを有している。
ここでは、図１１の（ａ）に示すように、導電片４７１の基部４７２の凹み４７２ａ並びに第１延伸部４７３及び第２延伸部４７４の凹み４７６により構成される。
【００５２】
裏第２配線体４７（４７Ａ，４７Ｂ）は、図１１の（ａ）に示すように、環状方向に隣接する他の裏外側発光モジュール４５の裏第２配線体４７（４７Ａ，４７Ｂ）と電気的に接続する端子部４７７，４７８を備える。端子部４７７，４７８は、導電片４７１の基部４７２で切断した残り部分で構成されている。端子部４７７は例えば高電位側端子であり、端子部４７８は低電位側端子である。
接続時には、図１１の（ｂ）に示すように、裏外側発光モジュール４５Ａの端子部４７８に、環状方向に隣接する他の裏外側発光モジュール４５Ｂの端子部４７７が重ねられ、半田、ピン等により結合される。
【００５３】
（２−３）配置
裏発光モジュール４１は、図１１の（ｂ）に示すように、裏内側発光モジュール４４（４４Ｂ）を構成する１個の導電片４６１ｃの第１延伸部４６３ｃと第２延伸部４６４ｃとの間に、裏外側発光モジュール４５（４５Ｂ）を構成し且つ環状方向に隣接する一方の導電片４７１ａの第１延伸部４７３ａと他方の導電片４７１ｂの第２延伸部４７４ｂとが位置するように、配されている。
裏発光モジュール４１は、図１１の（ｂ）に示すように、裏外側発光モジュール４５（４５Ａ）を構成する１個の導電片４７１ｃの第１延伸部４７３ｃと第２延伸部４７４ｃとの間に、裏内側発光モジュール４４（４４Ａ）を構成し且つ環状方向に隣接する一方の導電片４６１ａの第１延伸部４６３ａと他方の導電片４６１ｂの第２延伸部４６４ｂとが位置するように、配されている。
換言すると、裏内側発光モジュール４４の隣接する２つの導電片４６１の第１延伸部４６３と第２延伸部４６４との対向部分と、裏外側発光モジュール４５の隣接する２つの導電片４７１の第１延伸部４７３と第２延伸部４７４との対向部分とが環状方向に交互に位置するように、裏内側発光モジュール４４の導電片４６１と裏外側発光モジュール４５の導電片４７１とが組み合わされている。
これにより、複数個のＬＥＤ素子４２，４３を高密度で実装できる。また、各複数個の裏第１ＬＥＤ素子４２と裏第２ＬＥＤ素子４３とを２重の同心円上（又は同心円に近い部位）に配置することができ、輝度ムラを少なくできる。
【００５４】
（２−４）裏トレイ
裏トレイ４８は、図９の（ａ）及び図１０に示すように、裏発光モジュール４１を光出射方向から見たときの形状と同じ形状をしている。つまり、裏トレイ４８を裏側から見たときの形状は円環状をしている。
裏トレイ４８は、図１０に示すように、円環状の裏側環状板部４８１と、裏側環状板部４８１の内周縁から表裏両側に延伸する裏トレイ内鍔部４８２と、裏側環状板部４８１の外周縁から表裏両側に延伸する裏トレイ外鍔部４８３とを有する。
裏側環状板部４８１の表面に裏発光モジュール４１（４１Ａ，４１Ｂ，４１Ｃ）が搭載される。
裏トレイ４８は、裏発光モジュール４１を固定するための裏側固定部を裏側環状板部４８１に有する。裏側固定部は、上述したように、図１１の（ｃ）に示す裏第１配線体４６（４６Ａ，４６Ｂ）の凹み４６２ａ，４６６と裏第２配線体４７（４７Ａ，４７Ｂ）の凹み４７２ａ，４７６を挿通するピン部４８４（図１０参照）が利用され、挿通後にピン部４８４の先端を溶融させることで構成される。溶融させることにより、溶融部分は、凹み４６２ａ，４７２ａ、４６６，４７６より大きく、裏第１配線体４６及び裏第２配線体４７における凹み４６２ａ，４７２ａ、４６６，４７６の周辺部分に係合する。
【００５５】
裏トレイ４８は、図１０に示すように、３個の裏発光モジュール４１Ａ，４１Ｂ，４１Ｃの接続部分に対応して形成された凸条部４８５を有している。凸条部４８５は、隣接する裏発光モジュール４１間に存在する隙間へと突出し、裏発光モジュール４１を位置決めする。
裏トレイ４８は、図９に示すように、裏発光モジュール４１に給電するための裏ケーブル５９３の接続側端部を固定（係止）するための係止部４８６を有する。係止部４８６は「Ｃ」字状をし、開口部分から内部へと裏ケーブル５９３が挿入される。
【００５６】
裏トレイ内鍔部４８２は、内周側から外周側に向かって凹入する裏内側凹入部分４８２ａを有している。裏トレイ外鍔部４８３は、外周側から内周側に向かって凹入する裏外側凹入部分４８３ａを有している。
裏光源ユニット４を器具本体２に装着する際に、裏内側凹入部分４８２ａと裏外側凹入部分４８３ａに、器具本体２の環状板部２１の裏内鍔部分２２３の裏内張出部分２２５と裏外鍔部分２２４の裏外張出部分２２６とを嵌る（図５の（ｂ）参照）。そして、この嵌合状態で、裏光源ユニット４の中心を回転軸として裏光源ユニット４を回転させることで、裏内張出部分２２５が裏トレイ４８の裏トレイ内鍔部４８２に、裏外張出部分２２６が裏トレイ４８の裏トレイ外鍔部４８３にそれぞれ係合する。
なお、裏トレイ４８は、内周縁から中心に向かって張り出す張出片４８２ｂに貫通孔４８２ｃを有し、ねじ９２（図３及び図４参照）が貫通孔４８２ｃを挿通した後、器具本体２のねじ穴２２７（図５の（ｂ）参照）に螺合することで、器具本体２に固定される。
【００５７】
裏トレイ４８は、図９の（ｂ）に示すように、周方向へ延伸する周リブ４８７と、径方向に延伸する径リブ４８８とを裏側環状板部４８１の裏面（装置の表側に位置する面）に有する。なお、裏トレイ４８は、裏面から表面に凹入し且つ径方向に延伸する裏溝部分４８９を有する。裏溝部分４８９は、裏外側発光モジュール４５に接続する裏ケーブル５９３が収容される。これにより、裏光源ユニット４を器具本体２に装着させた際に、裏ケーブル５９３によるガタツキを無くすることができる。
【００５８】
５．電源ユニット
図１２及び図１３を用いて説明する。
電源ユニット５は、光源ユニット３，４に電力を供給する電力供給機能を有している。ここでは、電源ユニット５は少なくとも表発光モジュール３１を調光するための調光機能も有している。これらの機能は電源回路（５１）により達成される。
電源ユニット５は少なくとも表発光モジュール３１を調色するための調色機能も有している。これらの機能は調色回路（５２）により達成される。
電源ユニット５は少なくとも電源回路５１を備える。ここでの電源ユニット５は調色回路５２を備える。電源ユニット５は電源回路５１と調色回路５２とを別基板で備える。つまり、電源ユニット５は調色回路５２を電源回路５１から独立して備える。電源ユニット５は、絶縁性を確保するための絶縁シート５３を電源回路５１と調色回路５２との間に備える。ここでの電源ユニット５は難燃性を確保するために、難燃カバー５４を介して電源回路５１が器具本体２に装着される。
電源ユニット５は、器具本体２に装着された電源回路５１及び調色回路５２を覆う電源カバー５５と、電源カバー５５の開口を塞ぐブッシュ５６とを備える。
以下、各部について説明する。
【００５９】
（１）電源回路
電源回路５１は、表光源ユニット３に電力を供給する表用電源回路と、裏光源ユニット４に電力を供給する裏用電源回路とを備える。ここでの表専用電源回路と裏専用電源回路とは独立している。なお、「独立」とは、表専用電源回路は裏専用電源回路に依存せずに表光源ユニット３に電力を供給でき、裏専用電源回路は表専用電源回路に依存せずに裏光源ユニット４に電力を供給できることをいう。
ここでの表用電源回路は、表内側発光モジュール３４と表外側発光モジュール３５とに電力を調整可能に供給するように構成されている。ここでの裏用電源回路は、裏内側発光モジュール４４と裏外側発光モジュール４５とに電力を調整可能に供給するように構成されている。つまり、電源回路５１は調光機能を有する（調光回路を含む）。
電源回路５１は、表用電源回路と裏用電源回路とを電気的に独立して備える。つまり、電源回路５１は、表光源ユニット３に供給する電力と、裏光源ユニット４に供給する電力とを別個に調整できる。
【００６０】
電源回路５１は、回路を構成するための複数個の電子部品５１１と、これらの電子部品５１１を表裏面に実装する電源基板５１３とを備える。
なお、電源基板５１３は、プルスイッチ８用の開口５１３ａを中央に、器具本体２への取付用の貫通孔５１３ｂを外周縁付近に、基板位置決め用の溝５１３ｃを外周縁にそれぞれ有している。
電源基板５１３は、表面であって開口５１３ａの周縁部位にリモコン用の受信素子５１５（図１２参照）を実装する。なお、電源基板５１３において調色回路５２と対向する面には面実装タイプの電子部品が実装され、調色回路５２と反対側の面にはディスクリート部品の大きい電子部品が実装されている（図１３参照）。
電源基板５１３は、調色回路５２の調色基板５２３を裏側に離間して支持するための支持具９５用の貫通孔を有する。なお、支持具９５が電源基板５１３の貫通孔に装着されているため、貫通孔は見えない。
【００６１】
（２）調色回路
調色回路５２は、表光源ユニット３を調色点灯させるための表用調色回路と、裏光源ユニット４を調色点灯させるための裏用調色回路とを備える。ここでの表用調色回路は、表内側発光モジュール３４への電力と表外側発光モジュール３５への電力とを別個に調整可能に供給するように構成されている。ここでの裏用調色回路は、裏内側発光モジュール４４への電力と裏外側発光モジュール４５への電力とを別個に調整可能に供給するように構成されている。
調色回路５２は、表用調色回路と裏用調色回路とを電気的に独立して備える。つまり、調色回路５２は、表内側発光モジュール３４、表外側発光モジュール３５、裏内側発光モジュール４４及び裏外側発光モジュール４５に供給する電力のそれぞれを調整可能とするように構成されている。
【００６２】
調色回路５２は、回路を構成するための複数個の電子部品５２１と、これらの電子部品５２１を表裏面に実装する調色基板５２３とを備える。ここでの調色基板５２３は両面実装タイプの基板で、電源回路５１（電源基板５１３）と対向する面には面実装タイプの電子部品が、電源回路５１（電源基板５１３）と反対側の面にディスクリート部品の大きい部品がそれぞれ実装されている（図１２参照）。
なお、調色基板５２３は、プルスイッチ８用の開口５２３ａを中央に、電源基板５１３に装着するため（支持具９５用）の貫通孔５２３ｂを外周縁付近にそれぞれ有している。
調色基板５２３は、図１２に示すように、常夜灯用の砲弾型ＬＥＤ５２５と、照度センサ５２６と、常夜灯の光の拡散を防止するための筒体５２７を備える。なお、調色基板５２３の絶縁板（配線パターンのないもの）は、電源基板５１３の絶縁板と同じもの（構成）である。
【００６３】
（３）絶縁シート及び反射シート
絶縁シート５３は、電源基板５１３を表側から見た形状と略一致する形状を有し、プルスイッチ８用の開口５３ａを中央に、電源基板５１３を器具本体２に固定するねじ用の欠け部５３ｂを表面に、電源基板５１３の支持具９５用の欠け部５３ｃを外周縁付近にそれぞれ有している。
反射シート５７は、調色回路５２と電源カバー５５との間に配される。反射シート５７は、電源カバー５５の筒部５５１の内周面形状に近い形状をしている。反射シート５７は貫通孔５７ａを有している。貫通孔５７ａは調色基板５２３に設けられた筒体５２７の端部開口に対応した形状をしている。
【００６４】
（４）難燃カバー
難燃カバー５４は難燃樹脂材料、例えば難燃性ポリカーボネート等により構成されている。
難燃カバー５４は、電源基板５１３を表側から見た外周形状に近い内周面を有する難燃筒部５４１と、難燃筒部５４１における表側端部から径方向の外方に張り出す難燃外鍔部５４２と、難燃筒部５４１における裏側端部を塞ぐ難燃蓋部５４３とを一体で有する。
難燃カバー５４は、調色基板５２３を電源基板５１３に支持するための支持具９５用の凹み５４５と、器具本体２のボス部分２５７（電源基板５１３を器具本体２に装着するためのねじ穴５２８が形成されている）用の凹み５４６と、器具本体２の縦リブ２５９用の凹み５４７とを、難燃筒部５４１と難燃外鍔部５４２と難燃蓋部５４３とに亘って有している。
難燃外鍔部５４２は、電源基板５１３が器具本体２に装着した際に、電源基板５１３を裏側から支持する。
難燃蓋部５４３はプルスイッチ８用の貫通孔５４３ａを有する。貫通孔５４３ａを挿通したプルスイッチ８の裏面が器具本体２の膨出部２５の蓋部分２５１に当接（図２参照）し、ねじ９３（図３及び図４）により固定される。
難燃蓋部５４３は、図１３に示すように、裏側に有蓋筒状に突出する突出部分５４３ｂを有し、当該突出部分５４３ｂにコネクタ５８（図３及び図４参照）用の貫通孔５４３ｃを有する。突出部分５４３ｂは器具本体２の膨出部２５の蓋部分２５１と当接する。コネクタ５８は、図示しないケーブルを介して電源回路５１の電源基板５１３に接続されている。
【００６５】
（５）電源カバー
電源カバー５５は、有底筒状をし、筒部５５１と底部５５３とを有している。電源カバー５５は電源回路５１や調色回路５２を覆う機能を有する。なお、電源カバー５５は、器具本体２に装着され、器具本体２とで電源回路５１や調色回路５２を収容する電源筐体として機能する。ここでの電源カバー５５は常夜灯の明かりが出射できる拡散剤を入れた透光性の樹脂材料（例えば、安全性を考慮した難燃性ポリカーボネートである）により構成されている。なお、電源カバー５５は、リモコン用の赤外線を通過させることが可能な材料で構成されている。
【００６６】
（５−１）筒部
筒部５５１の横断面形状が円環状をしている。
筒部５５１は、開口側端に径方向の外方へ張り出す張出片５５１ａを複数個（例えば２個である）有している。張出片５５１ａは、図５の（ａ）に示すように、器具本体２の器具側係合部分２６１に係合する。これにより、電源カバー５５が器具本体２に係止される。
筒部５５１は、２個の張出片５５１ａ間に裏側に延伸した後に径方向の外方へと張り出す逆「Ｌ」字状の逆Ｌ字片５５１ｂと、逆Ｌ字片５５１ｂの径方向へ張り出す部分に形成された貫通孔５５１ｃを有し、当該貫通孔５５１ｃを挿通するねじ９６（図３及び図４参照）が器具本体２のねじ穴２６２に螺号する。これにより、電源カバー５５が器具本体２に固定される。
【００６７】
筒部５５１は、表裏方向に延伸する一対の突条部５５１ｄを１組として、周方向に間隔をおいて複数組（例えば３組）有している。一対の突条部５５１ｄは、表光源カバー６Ａの溝６１１（図３及び図４参照）に嵌る。
筒部５５１は、径方向の外側に突出する凸部分５５１ｆを周方向に間隔をおいて複数個を有している。凸部分５５１ｆは、表光源カバー６Ａの貫通孔６１３（図３及び図４参照）と嵌合（係合）する。
【００６８】
（５−２）底部
底部５５３は、図２に示すように、断面において円弧状に表側に膨出する。底部５５３は、中央部に裏側に凹入する凹入部分５５３ａと、凹入部分５５３ａの底部分に形成された貫通孔５５３ｂとを有している。
貫通孔５５３ｂには、図２、図１２及び図１３に示すように、中央に貫通孔５６１を有するシリコン等のブッシュ５６が装着される。なお、プルスイッチ８の紐体８３がブッシュ５６の貫通孔５６１を挿通する。
【００６９】
６．光源カバー
主に図３及び図４を用いて説明する。
光源カバー６は、器具本体２の表側に位置する表光源カバー６Ａと、器具本体２の裏側に位置する裏光源カバー６Ｂとを結合させてなる。表光源カバー６Ａは表光源ユニット３に対して離間する状態で表側から覆う。裏光源カバー６Ｂは裏光源ユニット４に対して離間する状態で裏側から覆う。これにより、光源カバーに光源ユニット３，４との接触による影の発生を抑制でき、きれいに光る照明装置が得られる。
【００７０】
光源カバー６は、表光源カバー６Ａと裏光源カバー６Ｂとを別々に器具本体２側に装着することで、一体化される。一体化された光源カバー６の突き合せ部分は、図２に示すように、器具本体２の環状板部２１の延長上又は延長上付近にあり、光源ユニット３，４は光源カバー６における表裏方向の略中央に位置している。これにより、表裏を同じような明るさで照射することができる。
表光源カバー６Ａと裏光源カバー６Ｂは、透光性材料、例えば、樹脂材料から構成され、ここでは、両カバーとも同じ透光性の樹脂材料（例えばポリプロピレン（ＰＰ））を利用している。光源カバー６は、表側から又は裏側から見ると、径方向に幅のある環状をしている。ここでは、円環状をしている。
【００７１】
（６−１）表カバー
以下、図１４を用いて説明する。
表光源カバー６Ａは、断面形状が半楕円状の下半分を、器具本体２の中心を通る仮想線軸の廻りに回転させたような形状をしている。表光源カバー６Ａは、仮想線を筒軸とする筒部６１と、筒部６１の径方向の外方側に配されている表皿部６３とを有している。
【００７２】
（６−１−１）筒部
筒部６１は、裏側端から表側に延びる溝６１１を周方向に間隔をおいて複数個（例えば、３個）有している。溝６１１には、電源カバー５５の筒部５５１の一対の突条部５５１ｄ（図１２及び図１３参照）が裏側から嵌る。
筒部６１は、表裏方向の中央に形成された貫通孔６１３を周方向に間隔をおいて複数個（例えば、３個）有している。貫通孔６１３には、電源カバー５５の筒部５５１の凸部分５５１ｆ（図１２及び図１３参照）が嵌合する。
【００７３】
（６−１−２）表皿部
表皿部６３は、拡大図に示すように、開口側端部（外周縁部）の内面から裏側に延伸する板状部分６３１と、板状部分６３１の外面に設けられた「Ｕ」字状の凸部分６３３と、Ｕ字状の凸部分内に凹部分６３５を周方向に間隔をおいて複数有する。
凸部分６３３は、裏光源カバー６Ｂの裏皿部６７の凸部分６７２の裏側に係合する。また、凹部分６３５には裏光源カバー６Ｂの裏皿部６７の凸部分６７２が係合する。これにより、表光源カバー６Ａと裏光源カバー６Ｂとが２重構造で係合することとなる。
【００７４】
（６−２）裏カバー
裏光源カバー６Ｂは、断面形状が半楕円状の上半分を、器具本体２の中心を通る仮想線軸の廻りに回転させたような形状をしている。裏光源カバー６Ｂは、仮想線を筒軸とする筒部６５と、筒部６５の径方向の外方側に配されている裏皿部６７とを有している。
（６−２−１）筒部
筒部６５は、開口側端から裏側に延びる一対の溝６５１を１組として、周方向に間隔をおいて複数組（例えば４組）有している。筒部６５は、一対の溝６５１間の表側端に径方向の内側に突出する凸部分６５２を有している。凸部分６５２は、図５に示すように、器具本体２の裏筒部分２５３の貫通孔２５３ａと嵌合（係合）する。
【００７５】
筒部６５は、内周面から筒軸に向かって延伸する延伸板部分６５３と、延伸板部分６５３に形成された貫通孔６５４とを有している。延伸板部分６５３の貫通孔６５４は、図５の（ｂ）に示す器具本体２の膨出部２５のねじ孔２５６に位置合わせされた状態で、図３に示すねじ９４により延伸板部分６５３が膨出部２５に固定される。
なお、裏光源カバー６Ｂの器具本体２への装着の際には、裏光源カバー６Ｂの筒部６５は、図５の（ｂ）に示すように、器具本体２の裏筒部分２５３と裏側立設部２５５との間に挿入される。
【００７６】
（６−２−２）裏皿部
裏皿部６７は、拡大図に示すように、開口側端部（外周縁部）の内面から厚み方向に凹入する凹入部分６７１と、凹入部分６７１の内面から径方向の内側に突出する凸部分６７２とを有する。
凸部分６７２は表光源カバー６Ａの表皿部６３の凹部分６３５に嵌合し、凹入部分６７１には、表光源カバー６Ａの表皿部６３の板状部分６３１が嵌合する。これにより、表光源カバー６Ａと裏光源カバー６Ｂとが２重構造で係合することとなる。
裏皿部６７は、凹入部分６７１に対して筒部６５の筒軸方向の裏側部分から、凹入部分６７１を覆うように延伸する一対のリブ部分６７３を有する。裏光源カバー６Ｂの凹入部分６７１内の凸部分６７２等に、表光源カバー６Ａの板状部分６３１の凹部分６３５等が係合した状態において、リブ部分６７３と凹入部分６７１との間の隙間に板状部分６３１が挿入される。
なお、表皿部６３と裏皿部６７は、凹入部分６７１と凸部分６７２とが嵌合された後、嵌合部分を超音波溶着することにより、外れ難い構造にすることができる。
【００７７】
７．シェード
図２を用いて説明する。
シェード７は、頂部に開口７１を有する笠状のシェード本体部７３と、シェード本体部７３の開口７１から表側に筒状に凹入する凹入筒部７５と、凹入筒部７５の表側端から筒軸に向かって張り出す鍔部７７とを有する。鍔部７７は、吊り部材１のコードハウジング１１の段差部１１４の裏面と当接し、シェード７が吊り部材１により支持される。
このように、シェード７は、コードハウジング１１の段差部１１４に支持される鍔部７７を有することで、装置本体９９に対して、取り換え自在となり、照明装置Ａの使用する場所・目的に合致するシェードと組み合わせることができる。
なお、装置本体９９は、照明装置Ａからシェード７を取り除いたものをいい、ここでは、吊り部材１、器具本体２、光源ユニット３，４、電源ユニット５、光源カバー６を備えている。
【００７８】
図２で示すシェード７は洋風深型であったが、例えば、図１５の（ａ）に示すように洋風浅型のシェード７Ｂを備える照明装置Ｂとすることもできるし、図１５の（ｂ）に示すように表側が開口する方形箱状のシェード本体部７３Ｃをする和風浅型のシェード７Ｃを備える照明装置Ｃとしてもよい。
これらのシェード７，７Ｂ，７Ｃは、鍔部（７７）を有し、吊り部材１の引掛けシーリング１２や引掛けカバー１３を、凹入筒部７５における器具本体２側の開口を通すことで装置本体９９に取り付けられる。
なお、和風型のシェード７Ｃは、例えばシェード本体部７３Ｃをフレーム部７５Ｃに対して取り外し可能に備えてもよい。この場合、例えば、シェード本体部７３Ｃに柄シートを貼着することで、意匠を変更できる。
【００７９】
シェードは、図１５に示すシェード７Ｂ，７Ｃ以外に、例えば、図１６に示すような、鍔部７７Ｄ，７７Ｅを有する内シェード部７３Ｄ，７３Ｅと、内シェード部７３Ｄ，７３Ｅの開口側から設置面側に延伸する外シェード部７４Ｄ，７４Ｅとを有するシェード７Ｄ，７Ｅであってもよい。なお、シェード７Ｄは、所謂、デザイン深型であり、シェード７Ｅは、所謂、デザイン浅型である。
シェード７Ｄ，７Ｅは、例えば透明の外シェード部７４Ｄ，７４Ｅを備えてもよい。この場合、例えば、透明にして、柄シートを外シェード部７４Ｄ，７４Ｅの外周に固定することで、意匠を変更できる。
なお、このように、１つの装置本体９９を利用して、複数のシェード７Ａ，７Ｂ，７Ｃ，７Ｄ，７Ｅ等を適宜選択することで、種々の照明装置Ａ，Ｂ，Ｃ，Ｄ，Ｅを得ることができる。
シェード７は透光性材料により構成されている。透光性材料として、例えば、透光性に優れた汎用ポリスチレン（ＧＰＰＳ）等がある。
【００８０】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００８１】
＜その他＞
上記光源ユニット３，４において、内側発光モジュール３４，４４内の隣接する導電片３６１，４６１の第１延伸部３６３，４６３と第２延伸部３６４，４６４との対向部分と、外側発光モジュール３５，４５内の環状方向に隣接する導電片３７１，４７１の第１延伸部３７３，４７３と第２延伸部３７４，４７４との対向部分とが環状方向に交互に位置するように、内側発光モジュール３４，４４と外側発光モジュール３５，４５とが組み合わされている。
【００８２】
しかしながら、光源ユニットは、第１延伸部及び第２延伸部に対して基部が環状の中心側に位置する内側発光モジュールと、第１延伸部及び第２延伸部に対して基部が環状の中心側と反対側に位置する外側発光モジュールとの少なくとも一方の発光モジュールを備えればよい。
以下、具体例について説明する。
【００８３】
内側発光モジュールのみを備える例として、図１７の（ａ）に示すように、光源ユニット３Ａを表内側発光モジュール３４に使用した配線体３６に３個のＬＥＤ素子３２を実装して３並列３０直列としてもよい。この場合、光源ユニット３と同じ配線体３６を利用しているが、実装するＬＥＤ素子３２の個数を変えることで、別仕様の光源ユニットが得られる。
【００８４】
外側発光モジュールのみを備える例として、図１７の（ｂ）に示すように、光源ユニット３Ｂを表外側発光モジュール３５に使用した配線体３７に３個のＬＥＤ素子３３を実装して３並列３０直列としてもよい。
内側発光モジュールと外側発光モジュールとを利用して１重の環状を構成する例として、図１７の（ｃ）に示すように、光源ユニット３Ｃを、表内側発光モジュール３４の導電片３６１を利用して半円状に構成した配線体３６Ｃに３個のＬＥＤ素子３３Ｃを実装してなる内側発光モジュールと、表外側発光モジュール３５の導電片３７１を利用して半円状に構成した配線体３７Ｃに３個のＬＥＤ素子３３Ｃを実装してなる外側発光モジュールとを電気的に接続してもよい。この光源ユニット３Ｃは、全体として３並列３０直列となり、上記の光源ユニット３Ａ，３Ｂと同じ形態となる。
なお、ＬＥＤ素子３３Ｃは、本発明の「前記内側発光モジュールの発光素子」と「前記外側発光モジュールの発光素子」の一例に相当し、その色温度は、６，５００［Ｋ］で同じである。
この場合、例えば、導電片の個数が１つの環状の配線体を構成する個数に達しない場合でも、これらの導電片を有効に利用でき、導電片の歩留まりを向上させることができる。
【００８５】
＜変形例＞
１．光源ユニット
実施形態では、光源ユニット３，４の発光素子としてＬＥＤ素子を利用したが、例えば、裏面に両端子を有するレーザ素子であってもよいし、ＥＬ素子であってもよい。また、光源として、複数個のＬＥＤ素子が実装されているＳＭＤタイプを利用してもよいし、基板に複数個のＬＥＤ素子が実装したものであってもよい。なお、実施形態等で説明したＬＥＤ素子（発光素子）の色温度は一例であり、他の色温度であってもよい。
発光モジュール３１，４１は、ＬＥＤ素子３２，３３，４２，４３用の配線体３６，３７，４６，４７として、複数個の導電片３６１，３７１，４６１，４７１を利用したが、一般的に利用されている導電板にプリント配線されたプリント基板を利用してもよい。
【００８６】
光源ユニット３，４は、内側発光モジュール３４，４４と外側発光モジュール３５，４５を２重環状に備えている（組み合わされて１つの円環状を構成している）が、１重の発光モジュールであってもよいし、３重以上の多重環状に発光モジュールを備えてもよいし、径方向に離間する状態で環状に備えてもよい。
実施形態では、発光モジュール３１，４１を補強する機能も備えるトレイ３８，４８を有しているが、可塑性樹脂等を利用して器具本体を構成する場合、発光モジュール３１，４１に直接器具本体に取り付けるようにしてもよい。
発光モジュール３１，４１は、第１延伸部３６３，３７３，４６３，４７３と第２延伸部３６４，３７４，４６４，４７４とが基部３６２，３７２，４６２，４７２から直交する方向（径方向）に延伸しているが、第１延伸部と第２延伸部は径方向に対して交差する方向に延伸してもよい。
【００８７】
２．器具本体
実施形態では、例えば、ポリプロピレン等の透光性樹脂材料を利用しているが、例えば、透光性を有さない樹脂材料を利用してもよいし、難燃性を有する樹脂材料を利用してもよいし、金属材料を利用してもよい。難燃性を有する樹脂材料を利用する場合、電源ユニット５の難燃カバー５４を備えてなくてもよい。
実施形態の膨出部２５は裏側に膨出しているが、例えば、表側に膨出して、電源ユニットの一部又は全部を収容するようにしてもよい。また、電源ユニットを備えない照明装置であって器具本体の両主面のそれぞれに光源ユニットを備える装置の場合、膨出部を有してもよいし、有しなくてもよい。
実施形態の器具本体２は膨出部２５を備えていたが、器具本体の第１側に第１光源ユニットを、第２側に第２光源ユニットをそれぞれ搭載できる構造であればよく、他の構成は特に限定するものではない。
【００８８】
３．電源ユニット
実施形態では、電源回路５１と調色回路５２とを別基板５１３，５２３で構成しているが、同一基板で構成してもよい。この場合、回路を構成する電子部品５１１，５２１を基板の片面に実装してもよいし、基板の両面に実装してもよい。
【００８９】
４．吊り部材
実施形態では、コード１０がハウジング本体１１１の開口に設けられたブッシュ１１２（図２参照）により滑らないように固定されているが、他の方式で固定してもよい。他の方式で固定する場合を図１８を用いて説明する。なお、図１８は、ハウジング本体１１１の内部の様子が分かるように、シェードを取り外し、ハウジング本体１１１Ｄの半分を切り欠いている。
吊り部材１Ｄは、貫通孔１１１ａを頂部に備えるハウジング本体１１１と、貫通孔１１１ａに設けられ且つコード１０Ｄを固定する固定具１１５Ｄと、器具本体２に取り付けられ且つ固定具１１５Ｄを支持する支持具１１６Ｄとを有する。なお、支持具１１６Ｄは器具本体２側の構成としてもよい。
【００９０】
固定具１１５Ｄは、ねじ部１２３Ｄを有する筒体１２０Ｄと、筒体１２０Ｄのねじ部１２３Ｄに螺合するナット１３０Ｄとを備える。
筒体１２０Ｄは、ハウジング本体１１１の貫通孔１１１ａから突出する突出筒部１２１Ｄと、ハウジング本体１１１内であって突出筒部１２１Ｄの表側に位置し且つ貫通孔１１１ａよりも大きい大径部１２２Ｄと、大径部１２２Ｄの表側に形成されたねじ部１２３Ｄと、ねじ部１２３Ｄに形成され且つ突出筒部１２１Ｄの内部と連通する切り欠き部１２４Ｄとを備える。
コード１０Ｄは、突出筒部１２１Ｄの内部を通ってハウジング本体１１１内に導入され、切り欠き部１２４を通って大径部１２２Ｄとナット１３０Ｄとの間から導出される。この際、ナット１３０Ｄを大径部１２２Ｄに近づくように回転させることで、コード１０Ｄが大径部１２２Ｄとナット１３０Ｄとで挟持される。これによりコード１０Ｄが固定具１１５Ｄに固定される。
【００９１】
また、上記構成の固定具１１５Ｄにより、ブッシュ（１１２）によるコード（１０）の固定ができなかった細いコードを固定することができ、吊り線に細いコードを採用することにより意匠性を向上させることができる。なお、固定具１１５Ｄの構成については、細いコードの固定に着目するものであり、光源ユニット、電源ユニット、器具本体等の他の構成と無関係である。
支持具１１６Ｄは、器具本体２２の蓋部分２５１（図５参照）に載置される載置板部１４１Ｄと、載置板部１３１Ｄの裏面に形成され且つねじ部１２３Ｄが挿入される筒状部１４２Ｄとを備える。
【００９２】
５．照明装置
実施形態の照明装置Ａは、電源ユニット５を備えているが、例えば、電源回路を装置外に備えてもよいし、装置内であって他の部位に備えてもよいし、電源回路と調色回路を装置外に備えてもよい。
電源回路又は電源回路と調色回路を装置外に設ける例として、例えば設置面（天井）の裏側に設け、コード１０を介して各光源ユニットに給電するようにしてもよい。
電源回路又は電源回路と調色回路を装置内の他部位に設ける例として、例えば、吊り部材１の引掛けカバー１３内に収容される引掛けシーリング１２に設けてもよいし、ハウジング本体１１１内に設けてもよい。なお、電源回路又は電源回路と調色回路を、例えば設置面（天井）の裏側に設けたり、引掛けシーリングに設けたりすることで、コードを細くすることも可能となる。
実施形態の照明装置Ａでは、コード１０に吊り下げ機能と電力供給機能とを持たせたが、吊り下げ機能として筒体やチェーン体等を利用し、コードを電源供給機能のみとして利用してもよい。
【００９３】
実施形態では、シェード７を変更可能に器具本体（装置本体９９）２に備えているが、例えば、光源ユニットと器具本体との構造に関する発明に着目した場合、シェードを器具本体に変更不可能に備えてもよい。
実施形態では、プルスイッチ８と図外のリモコンとで照明装置Ａの点灯、消灯、調色、調光等の操作可能とされているが、例えば、プルスイッチのみで操作するようにしてもよいし、リモコンのみで操作するようにしてもよいし、さらに、専用の壁スイッチを設け、プルスイッチやリモコンの少なくとも一方と組み合わせて、あるいは単独で操作するようにしてもよい。
【符号の説明】
【００９４】
Ａ    照明装置
３    表光源ユニット
４    裏光源ユニット
３１    表発光モジュール（発光モジュール）
３２    表第１ＬＥＤ素子（発光素子）
３３    表第２ＬＥＤ素子（発光素子）
３４    表内側発光モジュール（内側発光モジュール）
３５    表外側発光モジュール（外側発光モジュール）
３６    表第１配線体（配線体）
３７    表第２配線体（配線体）
３６１    導電片
３６２    基部
３６３    第１延伸部
３６４    第２延伸部
３７１    導電片
３７２    基部
３７３    第１延伸部
３７４    第２延伸部
【図１】
2020004669.tif 000003
【図２】
2020004669.tif 000004
【図３】
2020004669.tif 000005
【図４】
2020004669.tif 000006
【図５】
2020004669.tif 000007
【図６】
2020004669.tif 000008
【図７】
2020004669.tif 000009
【図８】
2020004669.tif 000010
【図９】
2020004669.tif 000011
【図１０】
2020004669.tif 000012
【図１１】
2020004669.tif 000013
【図１２】
2020004669.tif 000014
【図１３】
2020004669.tif 000015
【図１４】
2020004669.tif 000016
【図１５】
2020004669.tif 000017
【図１６】
2020004669.tif 000018
【図１７】
2020004669.tif 000019
【図１８】
2020004669.tif 000020